(57)【特許請求の範囲】
【請求項１】
被管理者の住居内の居室に設置され、当該被管理者の当該居室における活動を検知する活動検知センサを含む複数種類のセンサを有するセンサ装置と、
前記住居から遠隔した場所に設置された管理装置と、
前記センサ装置が取得したデータを前記管理装置へ送信するデータ送信部と、
を備え、
前記管理装置は、
経時的に蓄積された前記データに基づいて、前記データを検知した検知期間の各日を示す第一軸と一日の時刻を示す第二軸とで構成されるマップを生成する生成部を有し、
前記マップには、前記検知期間の各日時における前記活動の有無と対応づけて、前記活動の有無以外の情報であって前記活動が検知された前記居室に関連する情報が表示され、
前記センサ装置は、前記活動検知センサに加えて、温度センサを有し、
前記マップには、前記検知期間の各日時における前記活動の有無と対応づけて、前記活動が検知された前記居室の温度が、当該温度の高低を示す表示効果に基づいて識別可能に表示される、
遠隔健康管理システム。
【請求項２】
被管理者の住居内の居室に設置され、当該被管理者の当該居室における活動を検知する活動検知センサを含む複数種類のセンサを有するセンサ装置と、
前記住居から遠隔した場所に設置された管理装置と、
前記センサ装置が取得したデータを前記管理装置へ送信するデータ送信部と、
を備え、
前記管理装置は、
経時的に蓄積された前記データに基づいて、前記データを検知した検知期間の各日を示す第一軸と一日の時刻を示す第二軸とで構成されるマップを生成する生成部を有し、
前記マップには、前記検知期間の各日時における前記活動の有無と対応づけて、前記活動の有無以外の情報であって前記活動が検知された前記居室に関連する情報が表示され、
前記センサ装置は、前記活動検知センサに加えて、照度センサを有し、
前記マップには、前記検知期間の各日時における前記活動の有無と対応づけて、前記活動が検知された前記居室の照度が、当該照度の高低を示す表示効果に基づいて識別可能に表示される、
遠隔健康管理システム。
【請求項３】
被管理者の住居内の居室に設置され、当該被管理者の当該居室における活動を検知する活動検知センサを含む複数種類のセンサを有するセンサ装置と、
前記住居から遠隔した場所に設置された管理装置と、
前記センサ装置が取得したデータを前記管理装置へ送信するデータ送信部と、
を備え、
前記管理装置は、
経時的に蓄積された前記データに基づいて、前記データを検知した検知期間の各日を示す第一軸と一日の時刻を示す第二軸とで構成されるマップを生成する生成部を有し、
前記マップには、前記検知期間の各日時における前記活動の有無と対応づけて、前記活動の有無以外の情報であって前記活動が検知された前記居室に関連する情報が表示され、
前記センサ装置は、前記活動検知センサに加えて、温度センサと湿度センサとを有し、
前記管理装置の前記生成部は、前記温度センサの出力と前記湿度センサの出力とから暑さ指数を算出し、
前記マップには、前記検知期間の各日時における前記活動の有無と対応づけて、前記活動が検知された前記居室の暑さ指数が、当該暑さ指数の高低を示す表示効果に基づいて識別可能に表示される、
遠隔健康管理システム。
【請求項４】
前記マップは、前記検知期間の各日時で区画される複数のグリッドにより構成され、
前記各グリッドには、当該グリッドが示す時間帯における各前記居室で検知された前記居室に関連する情報の高低が、当該情報の高低を示す表示効果に基づいて識別可能に表示される、
請求項１から請求項３のいずれか一項に記載の遠隔健康管理システム。
【請求項５】
前記住居は複数の居室を有し、
各前記居室には、それぞれ前記センサ装置が設置されている、
請求項１から請求項４のいずれか一項に記載の遠隔健康管理システム。
【請求項６】
前記マップには、前記検知期間の各日時における前記活動の有無と対応づけて、前記活動が検知された前記居室の場所が、当該居室の場所を示す表示効果に基づいて識別可能に表示される、
請求項５に記載の遠隔健康管理システム。
【請求項７】
更に、前記管理装置と通信可能であり、かつ前記被管理者とは異なるオブザーバに対して情報を提示可能な端末装置を備え、
前記管理装置は、前記マップを前記端末装置へ送信するマップ送信部を有し、
前記端末装置には、前記マップが表示される、請求項１から請求項６のいずれか一項に記載の遠隔健康管理システム。
【請求項８】
前記端末装置は、現在の前記マップと過去の前記マップとを一画面内に並べて表示可能である、請求項７に記載の遠隔健康管理システム。
【請求項９】
前記管理装置の前記生成部は、前記センサ装置に含まれる前記複数種類のセンサ毎に前記マップを作成し、
前記端末装置は、複数の前記マップのいずれか一つを選択して表示するための選択部を有する、
請求項７または請求項８に記載の遠隔健康管理システム。
【請求項１０】
さらに、前記住居に設置されたゲートウェイ装置を備え、
前記ゲートウェイ装置は、前記データ送信部を有し、前記センサ装置から取得したデータを前記管理装置へ送信する、請求項１から請求項９のいずれか一項に記載の遠隔健康管理システム。
【請求項１１】
前記データ送信部は、前記センサ装置に設けられる、請求項１から請求項９のいずれか一項に記載の遠隔健康管理システム。
【請求項１２】
被管理者の住居内の居室に設置され、当該被管理者の当該居室における活動を検知する活動検知センサと温度センサとを含む複数種類のセンサを有するセンサ装置と、
前記住居から遠隔した場所に設置された管理装置と、
前記センサ装置が取得したデータを前記管理装置へ送信するデータ送信部と、
前記管理装置と通信可能であり、かつ前記被管理者とは異なるオブザーバに対して情報を提示可能な端末装置と、
を備え、
前記住居は複数の居室を有し、
各前記居室には、それぞれ前記センサ装置が設置され、
前記管理装置は、
経時的に蓄積された前記データに基づいて、前記データを検知した検知期間の各日を示す第一軸と一日の時刻を示す第二軸とで構成されるマップを生成する生成部と、
前記マップを前記端末装置へ送信するマップ送信部と、
を備え、
前記端末装置は、
前記検知期間の各日時における前記活動の有無と対応づけて、前記活動が検知された前記居室の温度が、当該温度の高低を示す表示効果に基づいて識別可能に表示される前記マップと、
前記検知期間の各日時における前記活動の有無と対応づけて、前記活動が検知された前記居室の場所が、当該居室の場所を示す表示効果に基づいて識別可能に表示される前記マップと、を切り替えて表示可能である、
遠隔健康管理システム。
【請求項１３】
被管理者の住居内の居室に設置され、当該被管理者の当該居室における活動を検知する活動検知センサを少なくとも含むセンサ装置と、
前記住居から遠隔した場所に設置された管理装置と、
前記センサ装置が取得したデータを前記管理装置へ送信するデータ送信部と、
を備え、
前記住居は複数の居室を有し、
各前記居室には、それぞれ前記センサ装置が設置され、
前記管理装置は、
経時的に蓄積された前記データに基づいて、前記データを検知した検知期間の各日を示す第一軸と一日の時刻を示す第二軸とで構成されるマップを生成する生成部を有し、
前記マップには、前記検知期間の各日時において、前記活動が検知された各前記居室における活動量の大小が、当該活動量の大小を示す表示効果に基づいて識別可能に表示される、
遠隔健康管理システム。
【請求項１４】
前記マップは、前記検知期間の各日時で区画される複数のグリッドにより構成され、
前記各グリッドには、当該グリッドが示す時間帯における各前記居室で検知された活動量の積算値の大小が、当該積算値の大小を示す表示効果に基づいて識別可能に表示される、
請求項１３に記載の遠隔健康管理システム。
【発明の詳細な説明】
【技術分野】
【０００１】
本発明は、遠隔から被管理者の健康を管理するシステムに関するものである。
【背景技術】
【０００２】
核家族化の進行に伴い、独り暮らしの高齢者が増加している。当該高齢者が被管理者とされ、その健康状態を遠隔地に居ながらにして把握するためのシステムが知られている。例えば、特定の電気機器に内蔵されたセンサが当該電気機器の操作頻度を検出し、これをもって被管理者の活動状況を把握するシステムが知られている（特許文献１を参照）。
【先行技術文献】
【特許文献】
【０００３】
【特許文献１】特開平１０−２４８０９３号公報
【発明の概要】
【発明が解決しようとする課題】
【０００４】
しかしながら、特許文献１に記載のシステムが遠隔地に住む家族等に提供可能な情報は、被管理者の健康状態や生活リズムの変化を把握するための情報としては不十分であった。このため、特許文献１に記載のシステムでは、家族等は、被管理者の日常的な健康状態を安心して見守りにくい場合があった。
【０００５】
そこで、本発明は、遠隔地にいる者が安心して被管理者の日常的な健康状態を見守ることが可能な遠隔健康管理システムを提供することを目的とする。
【課題を解決するための手段】
【０００６】
上記目的を達成するために、本発明の遠隔健康管理システムは、
被管理者の住居内の居室に設置され、当該被管理者の当該居室における活動を検知する活動検知センサを含む複数種類のセンサを有するセンサ装置と、
前記住居から遠隔した場所に設置された管理装置と、
前記センサ装置が取得したデータを前記管理装置へ送信するデータ送信部と、
を備え、
前記管理装置は、
経時的に蓄積された前記データに基づいて、前記データを検知した検知期間の各日を示す第一軸と一日の時刻を示す第二軸とで構成されるマップを生成する生成部を有し、
前記マップには、前記検知期間の各日時における前記活動の有無と対応づけて、前記活動の有無以外の情報であって前記活動が検知された前記居室に関連する情報が表示される。
【０００７】
この構成によれば、マップには被管理者の活動の有無に加えて、その活動時の他の情報（例えば活動が検知された居室の温度、照度、湿度等）が表示される。このため、遠隔地にいる家族等は、マップを確認することにより、被管理者の活動の有無に加えて、活動が検知された居室の環境を知ることができ、被管理者の健康状態を把握し易くなる。また、このマップは、検知期間の各日を示す第一軸と一日の時刻を示す第二軸とで構成されている。このため、家族等は、マップを介して、被管理者の生活リズムの変化を視覚的に把握し易くなる。このように、この構成によれば、家族等は、マップを確認することで、安心して被管理者の日常的な健康状態を見守ることができる。
【０００８】
また、本発明の遠隔健康管理システムにおいて、
前記センサ装置は、前記活動検知センサに加えて、温度センサを有し、
前記マップには、前記検知期間の各日時における前記活動の有無と対応づけて、前記活動が検知された前記居室の温度が、当該温度の高低を示す表示効果に基づいて識別可能に表示されても良い。
【０００９】
この構成によれば、マップには、被管理者の活動時の居室の温度が、当該温度の高低を示す表示効果（色、模様等）に基づいて識別可能に表示される。このため、遠隔地にいる家族等は、被管理者の活動の有無に加えて、活動時の居室の温度を視覚的に確認することができ、被管理者の日常的な健康状態や行動（エアコン利用の有無や頻度等）を把握し易くなる。このように、この構成によれば、家族等は、マップを確認することで、安心して被管理者の日常的な健康状態や行動を見守ることができる。
【００１０】
また、本発明の遠隔健康管理システムにおいて、
前記センサ装置は、前記活動検知センサに加えて、照度センサを有し、
前記マップには、前記検知期間の各日時における前記活動の有無と対応づけて、前記活動が検知された前記居室の照度が、当該照度の高低を示す表示効果に基づいて識別可能に表示されても良い。
【００１１】
この構成によれば、マップには、被管理者の活動時の居室の照度が、当該照度の高低を示す表示効果（色、模様等）に基づいて識別可能に表示される。このため、遠隔地にいる家族等は、被管理者の活動の有無に加えて、活動時の居室の照度を視覚的に確認することができ、被管理者の日常的な健康状態や行動（天井灯利用の有無等）を把握し易くなる。このように、この構成によれば、家族等は、マップを確認することで、安心して被管理者の日常的な健康状態や行動を見守ることができる。
【００１２】
また、本発明の遠隔健康管理システムにおいて、
前記センサ装置は、前記活動検知センサに加えて、温度センサと湿度センサとを有し、
前記管理装置の前記生成部は、前記温度センサの出力と前記湿度センサの出力とから暑さ指数を算出し、
前記マップには、前記検知期間の各日時における前記活動の有無と対応づけて、前記活動が検知された前記居室の暑さ指数が、当該暑さ指数の高低を示す表示効果に基づいて識別可能に表示されても良い。
【００１３】
この構成によれば、マップには、被管理者の活動時の居室の暑さ指数が、当該暑さ指数の高低を示す表示効果（色、模様等）に基づいて識別可能に表示される。このため、遠隔地にいる家族等は、被管理者の活動の有無に加えて、活動時の居室の暑さ指数を視覚的に確認することができ、被管理者の日常的な健康状態を把握し易くなる。このように、この構成によれば、家族等は、マップを確認することで、安心して被管理者の日常的な健康状態を見守ることができる。
【００１４】
また、本発明の遠隔健康管理システムにおいて、
前記マップは、前記検知期間の各日時で区画される複数のグリッドにより構成され、
前記各グリッドには、当該グリッドが示す時間帯における各前記居室で検知された前記居室に関連する情報の高低が、当該情報の高低を示す表示効果に基づいて識別可能に表示されても良い。
【００１５】
この構成によれば、遠隔地にいる家族等は、被管理者の活動が検知された居室の温度、照度、暑さ指数等の変化を更に把握し易くなり、安心して被管理者の日常的な健康状態を見守ることができる。
【００１６】
また、本発明の遠隔健康管理システムにおいて、
前記住居は複数の居室を有し、
各前記居室には、それぞれ前記センサ装置が設置されていても良い。
【００１７】
この構成によれば、被管理者が住居内の複数の居室を移動した場合、活動が検知された各居室のデータが収集されて、そのデータに基づいて、被管理者の移動に追従した情報を示すマップが生成される。このため、遠隔地にいる家族等は、被管理者の生活リズムの変化を把握し易くなる。
【００１８】
また、本発明の遠隔健康管理システムにおいて、
前記マップには、前記検知期間の各日時における前記活動の有無と対応づけて、前記活動が検知された前記居室の場所が、当該居室の場所を示す表示効果に基づいて識別可能に表示されても良い。
【００１９】
この構成によれば、マップには、被管理者の活動時の居室の場所（居間、トイレ、台所、寝室等）が、当該居室の場所を示す表示効果（色や模様等）に基づいて識別可能に表示される。このため、遠隔地にいる家族等は、被管理者の活動の有無の加えて、活動時の居室の場所を視覚的に確認することができ、被管理者の生活リズムの変化を把握し易くなる。
【００２０】
また、本発明の遠隔健康管理システムにおいて、
更に、前記管理装置と通信可能であり、かつ前記被管理者とは異なるオブザーバに対して情報を提示可能な端末装置を備え、
前記管理装置は、前記マップを前記端末装置へ送信するマップ送信部を有し、
前記端末装置には、前記マップが表示されても良い。
【００２１】
この構成によれば、家族等は、端末装置に表示されたマップを見ることで、安心して被管理者の日常的な健康状態を見守ることができる。
【００２２】
また、本発明の遠隔健康管理システムにおいて、
前記端末装置は、現在の前記マップと過去の前記マップとを一画面内に並べて表示可能であっても良い。
【００２３】
この構成によれば、遠隔地にいる家族等は、被管理者の生活リズムの変化を更に把握し易くなる。
【００２４】
また、本発明の遠隔健康管理システムにおいて、
前記管理装置の前記生成部は、前記センサ装置に含まれる前記複数種類のセンサ毎に前記マップを作成し、
前記端末装置は、複数の前記マップのいずれか一つを選択して表示するための選択部を有しても良い。
【００２５】
この構成によれば、家族等は、観察したいマップを適宜に選択することができ、被管理者の日常的な健康状態を見守りやすくなる。
【００２６】
また、本発明の遠隔健康管理システムにおいて、
更に、前記住居に設置されたゲートウェイ装置を備え、
前記ゲートウェイ装置は、前記データ送信部を有し、前記センサ装置から取得したデータを前記管理装置へ送信しても良い。
【００２７】
この構成によれば、センサ装置から取得したデータを確実に管理装置へ送信することができる。
【００２８】
また、本発明の遠隔健康管理システムにおいて、
前記データ送信部は、前記センサ装置に設けられても良い。
【００２９】
この構成によれば、システムのコンパクト化を図ることができる。
【００３０】
また、本発明の遠隔健康管理システムは、
被管理者の住居内の居室に設置され、当該被管理者の当該居室における活動を検知する活動検知センサと温度センサとを含む複数種類のセンサを有するセンサ装置と、
前記住居から遠隔した場所に設置された管理装置と、
前記センサ装置が取得したデータを前記管理装置へ送信するデータ送信部と、
前記管理装置と通信可能であり、かつ前記被管理者とは異なるオブザーバに対して情報を提示可能な端末装置と、
を備え、
前記住居は複数の居室を有し、
各前記居室には、それぞれ前記センサ装置が設置され、
前記管理装置は、
経時的に蓄積された前記データに基づいて、前記データを検知した検知期間の各日を示す第一軸と一日の時刻を示す第二軸とで構成されるマップを生成する生成部と、
前記マップを前記端末装置へ送信するマップ送信部と、
を備え、
前記端末装置は、
前記検知期間の各日時における前記活動の有無と対応づけて、前記活動が検知された前記居室の温度が、当該温度の高低を示す表示効果に基づいて識別可能に表示される前記マップと、
前記検知期間の各日時における前記活動の有無と対応づけて、前記活動が検知された前記居室の場所が、当該居室の場所を示す表示効果に基づいて識別可能に表示される前記マップと、を切り替えて表示可能である。
【００３１】
この構成によれば、端末装置には、被管理者の活動時の居室の温度を例えば色や模様等の表示効果で提示するマップと、被管理者の活動時の居室の場所（居間、トイレ、台所、寝室等）を例えば色や模様等の表示効果で提示するマップとが切り替え可能に表示される。このため、遠隔地にいる家族等は、これらのマップを総合的に観察することで、被管理者の日常的な行動（エアコン利用の有無や頻度等）や生活リズムの変化を把握し易くなる。したがって、この構成によれば、家族等は、端末装置に表示されたマップを見ることで、被管理者の認知症の初期症状等を発見しやすくなり、安心して被管理者の日常的な健康状態や行動を見守ることができる。
【００３２】
また、本発明の遠隔健康管理システムは、
被管理者の住居内の居室に設置され、当該被管理者の当該居室における活動を検知する活動検知センサを少なくとも含むセンサ装置と、
前記住居から遠隔した場所に設置された管理装置と、
前記センサ装置が取得したデータを前記管理装置へ送信するデータ送信部と、
を備え、
前記住居は複数の居室を有し、
各前記居室には、それぞれ前記センサ装置が設置され、
前記管理装置は、
経時的に蓄積された前記データに基づいて、前記データを検知した検知期間の各日を示す第一軸と一日の時刻を示す第二軸とで構成されるマップを生成する生成部を有し、
前記マップには、前記検知期間の各日時において、前記活動が検知された各前記居室における活動量の大小が、当該活動量の大小を示す表示効果に基づいて識別可能に表示される。
【００３３】
この構成によれば、被管理者が住居内の複数の居室を移動した場合、活動が検知された各居室のデータが収集されて、そのデータに基づいて、被管理者の移動に追従した情報を示すマップが生成される。そして、このマップでは、被管理者の活動量の大小が例えば色や模様等の表示効果で識別可能に表示される。このため、遠隔地にいる家族等は、被管理者の活動量の変化を把握し易くなり、安心して被管理者の日常的な健康状態を見守ることができる。
【００３４】
また、本発明の遠隔健康管理システムにおいて、
前記マップは、前記検知期間の各日時で区画される複数のグリッドにより構成され、
前記各グリッドには、当該グリッドが示す時間帯における各前記居室で検知された活動量の積算値の大小が、当該積算値の大小を示す表示効果に基づいて識別可能に表示されても良い。
【００３５】
この構成によれば、遠隔地にいる家族等は、被管理者の活動量の変化を更に把握し易くなり、安心して被管理者の日常的な健康状態を見守ることができる。
【発明の効果】
【００３６】
本発明の遠隔健康管理システムによれば、遠隔地にいる者が安心して被管理者の日常的な健康状態を見守ることができる。
【図面の簡単な説明】
【００３７】
【図１】本発明の実施形態に係る遠隔健康管理システムを示す図である
【図２】上記システムが備えるセンサの設置例を示す図である。
【図３】上記システムが備える端末装置の表示情報例を示す図である。
【図４】上記端末装置に表示される情報例を示す図である。
【図５】上記端末装置に表示される情報例を示す図である。
【図６】上記端末装置に表示される情報例を示す図である。
【図７】上記端末装置に表示される情報例を示す図である。
【図８】上記端末装置に表示される情報例を示す図である。
【図９】上記システムの一構成例を示す図である。
【発明を実施するための形態】
【００３８】
以下、本実施形態の一例について、図面を参照して詳細に説明する。図１は、遠隔健康管理システム１を示す機能ブロック図である。遠隔健康管理システム１は、遠隔地から被管理者１００の健康を管理するシステムである。被管理者１００の例としては、独り暮らしの高齢者が挙げられる。図１に示すように、遠隔健康管理システム１は、センサ装置２と、ゲートウェイ装置３と、管理装置４と、端末装置５とを備えている。
【００３９】
センサ装置２は、被管理者１００の住居２００内の居室３００に設置される。ここで「居室」とは、居間や寝室などの部屋に加え、玄関、台所、浴室、洗面所、トイレなど生活活動が営まれる場所を含む意味である。
【００４０】
センサ装置２は、複数種類のセンサを備えうる。センサには、少なくとも活動検知センサ２１が含まれ、その他に例えば、温度センサ２２、照度センサ２３、湿度センサ２４などの居室の環境状態を検知するセンサが含まれうる。活動検知センサ２１は、居室３００における被管理者１００の活動を検知するセンサである。温度センサ２２は、居室３００の温度を検知するセンサである。照度センサ２３は、居室３００の照度を検知するセンサである。湿度センサ２４は、居室３００の湿度を検知するセンサである。
【００４１】
例えば、活動検知センサ２１は、所定の検知範囲を有しており、当該検知範囲内に被管理者１００が在している場合に活動信号（活動データ）を出力するように構成される。したがって、活動信号の出力をもって、被管理者１００が居室３００で活動していると把握することができる。また、活動信号の出力継続時間や出力／非出力の切り替わり頻度などに基づいて、被管理者１００の居室３００における活動量（活動状態）を把握することもできる。
【００４２】
なお、活動検知センサ２１は、例えば焦電センサで構成しても良い。焦電センサは、焦電素子を含む検知部を備えており、人体から放射される赤外線を検知するように構成されている。焦電素子は、赤外線の照射が開始された瞬間と照射が終了された瞬間に電荷を生ずる。したがって、両瞬間の時刻を管理することにより、焦電センサの検知範囲内に被管理者１００が在している時間帯を把握できる。
【００４３】
温度センサ２２、照度センサ２３、湿度センサ２４は、常時データを検知させておくようにしても良いし、活動検知センサ２１から出力される活動信号をトリガとして、各センサにおけるデータの検知を開始させるようにしても良い。
【００４４】
ゲートウェイ装置３は、住居２００に設置される。ゲートウェイ装置３は、活動検知センサ２１から出力された活動信号（活動データ）、温度センサ２２から出力された温度データ、照度センサ２３から出力された照度データ及び湿度センサ２４から出力された湿度データ（以下、各センサの出力をまとめてセンサデータと称する）を受信する。センサ装置２とゲートウェイ装置３の間で行われるセンサデータの送受は、有線通信あるいは無線通信により行われる。ゲートウェイ装置３は、データ送信部３１を有している。データ送信部３１は、センサ装置２から受信したセンサデータを外部に送信可能に構成されている。なお、データ送信部３１は、センサ装置２内に設けられる構成としても良い。その場合、センサ装置２は、データ送信部３１からセンサデータを送信可能に構成される。
【００４５】
管理装置４は、住居２００から遠隔した場所に設置される。管理装置４は、データ送信部３１から送信されたセンサデータを受信可能に構成されている。
管理装置４は、生成部４１を備えている。生成部４１は、データ送信部３１から送信されるセンサデータを経時的に蓄積し、蓄積したセンサデータに基づいて被管理者１００の健康状態を把握するための指標となるマップ（例えば二次元マップ）を生成するように構成されている。二次元マップは、例えば横軸にセンサデータが検知された検知期間の各日が示され、縦軸に検知期間における一日の時刻が示されたグラフとして表わされる。
【００４６】
二次元マップには、例えば各日時における居室３００での被管理者１００の活動量が表示されうる。また、二次元マップには、居室３００における被管理者１００の活動有無に対応づけられた活動有無以外の情報が表示されうる。活動有無以外の情報としては、例えば被管理者１００の活動が検知された居室３００に関連する情報が挙げられる。
【００４７】
居室に関連する情報には、例えば温度センサ２２により検知された居室３００の温度データ、照度センサ２３により検知された居室３００の照度データ、温度センサ２２の温度データと湿度センサ２４により検知された居室３００の湿度データとから算出された暑さ指数データなどの環境情報が含まれる。即ち、二次元マップには、被管理者１００が各日時において、どのような温度の居室３００内で活動していたかを表示しうる。また、二次元マップには、被管理者１００が各日時において、どのような明るさの居室３００内で活動していたかを表示しうる。また、二次元マップには、被管理者１００が各日時において、どのような暑さ指数の居室３００内で活動していたかを表示しうる。
【００４８】
管理装置４は、マップ送信部４２を備えている。マップ送信部４２は、生成部４１により生成された二次元マップを端末装置５へ送信可能に構成されている。
【００４９】
端末装置５は、管理装置４から送信された二次元マップを受信可能に構成されている。端末装置５は、被管理者１００とは異なるオブザーバ１５０に対して情報を提示可能な装置である。端末装置５は、受信した二次元マップをオブザーバ１５０に提示する。端末装置５の例としては、携帯情報端末（スマートフォン、タブレット型コンピュータ、ノート型コンピュータなど）、据え置き型のモニタ装置などが挙げられる。端末装置５は、例えばタッチパネル式の液晶画面を備えている。オブザーバ１５０の例としては、被管理者１００の家族を含む血縁関係者、被管理者１００のかかり付け医師を含む医療従事者、被管理者１００を担当するホームヘルパーを含む介護関係者、被管理者１００あるいはその関係者が契約している警備会社、自治体、健康保険事業者などが挙げられる。
【００５０】
この構成によれば、遠隔地にいる家族等は、二次元マップを確認することにより、被管理者１００の各日時における活動量の他に、被管理者１００の活動が検知された居室３００の環境情報を知ることができ、被管理者１００の健康状態を把握し易くなる。また、二次元マップにより被管理者１００の生活リズムの変化を視覚的に把握し易くなる。したがって、家族等は、二次元マップを確認することで、安心して被管理者の日常的な健康状態を見守ることができる。
【００５１】
図２に示すように、遠隔健康管理システム１は、複数のセンサ装置２ａ〜２ｆを備える構成とされうる。本例においては、被管理者１００の住居２００は、玄関３０１、台所３０２、浴室３０３、居間３０４、洗面所／トイレ３０５、寝室３０６などの複数の居室を備えている。玄関３０１にはセンサ装置２ａが設置されており、台所３０２にはセンサ装置２ｂが設置されており、浴室３０３にはセンサ装置２ｃが設置されている。また、居間３０４にはセンサ装置２ｄが設置されており、洗面所／トイレ３０５にはセンサ装置２ｅが設置されており、寝室３０６にはセンサ装置２ｆが設置されている。各センサ装置２ａ〜２ｆの機能および動作は、図１を参照して説明したセンサ装置２の機能および動作と同じであるため、繰り返しとなる説明は省略する。
【００５２】
複数の居室にセンサ装置が設置された場合、各日時においていずれかのセンサ装置２ａ〜２ｆが被管理者１００の活動を検知すると、活動が検知された居室のセンサ装置のセンサデータがゲートウェイ装置３に送信されるように構成されている。センサデータには各センサ装置２ａ〜２ｆが設置されている各居室を識別可能な識別記号が添付されている。
【００５３】
管理装置４の生成部４１は、複数のセンサ装置２ａ〜２ｆから出力されたセンサデータに基づいて二次元マップを生成する。
【００５４】
二次元マップには、例えば各日時において被管理者１００の活動が検知された各居室における活動量が表示されうる。また、二次元マップには、上記と同様の被管理者１００の活動有無に対応づけられて、活動が検知された居室の温度データ、照度データ、暑さ指数データなどが色や模様等の表示効果に基づいて、データの高低が識別可能に表示されうる。さらに、二次元マップには、被管理者１００の活動有無に対応づけられて、被管理者１００の活動が検知された居室の場所、即ち、被管理者１００が各日時において、どこの居室３０１〜３０６で活動していたかについても色や模様等の表示効果に基づいて識別可能に表示されうる。
【００５５】
図３〜図７に示すように、生成部４１で生成された二次元マップ５１〜５５は、被管理者１００の活動に対応づけられた各情報が、それらの内容を示す表示効果（例えば、色、模様等）に基づいて識別可能な状態で表示されうる。
【００５６】
図３に示す二次元マップ５１には、被管理者１００の活動が検知された居室の温度データが、居室の温度の高低を識別できるように模様で表示されている。本例では、二次元マップ５１における情報の検知期間を一カ月間に設定している。二次元マップ５１の横軸には一カ月の検知期間の各日（本例では、8月1日〜8月31日）が示され、縦軸には一日の時刻である0：00〜24：00までが一時間ごとに示されている。なお、図３は、二次元マップ５１が端末装置５の液晶画面に表示された状態を示している。
【００５７】
二次元マップ５１は、検知期間の各日時で区画される複数のグリッド６１により構成されている。本例における最小のグリッド６１は、縦軸において例えば３０分間に区画されている。各グリッド６１には、被管理者１００の活動が検知された居室の温度が、予め対応づけられている模様６２に基づいて表示される。グリッド６１が示す時間帯内において居室の温度が変化した場合には、例えば、その時間帯において最も長い期間測定された温度に対応する模様を表示しても良いし、その時間帯の平均温度に対応する模様を表示しても良い。なお、二次元マップ５１において、模様が付されていない時間帯６３は、生成部４１にセンサデータが送信されなかった時間帯、即ち、被管理者１００の活動が確認できなかった時間帯を示している。この時間帯の一例として、被管理者１００が外出していた時間帯が推測されうる。
【００５８】
図３に示す例では、例えば、8月5日の夜〜8月6日の朝までを見ると、8月5日の22:00以降の温度が通常の夜の温度よりも高く、8月6日の夜中3:00頃からいつもの温度に下がっている。これは、エアコンを付けずに就寝して、夜中に寝苦しくてエアコンを動作させたことが推測されうる。また、8月16日の夜〜8月17日の朝、8月21日の夜〜8月22日の朝、8月25日の夜〜8月26日の朝にかけては、居室の温度が通常より高い（28.0〜30.5℃）にもかかわらず朝まで変化していない。これは、寝苦しいにもかかわらずエアコンを付けずに就寝していたことが推測されうる。また、仮に、30.5℃以上であることを示す模様が長い時間帯で表示されていたとすれば、被管理者１００が暑い中でエアコンを動作させずに過ごしていた（活動していた）と考えられる。これらのことから、被管理者１００が体調を崩している可能性があると推測される他、場合によっては認知症の兆候ではないかと推測されうる。このように、家族等は、二次元マップ５１を通じて被管理者の行動パターンや生活リズム等を把握することができ、被管理者１００に連絡をとって様子を伺うといった対応が可能になる。
【００５９】
図４に示す二次元マップ５２には、被管理者１００の活動が検知された居室の照度データが、居室の照度の高低（明るい−暗い）を識別できるように模様で表示されている。なお、図４〜図７において、二次元マップ５２〜５５の軸表示、グリッドの区画および模様の表示方法などについては図３と同様である。図４〜図７の二次元マップ５２〜５５は、図３に示される二次元マップ５１と同様に端末装置５の液晶画面に表示されうる。
【００６０】
図４に示す例では、例えば、8月4日の夜〜8月5日の朝までを見ると、8月4日の22:00以降の居室の明るさが通常の夜の居室の明るさよりも明るく、8月5日の夜中2:00頃からいつもの明るさに戻っている。これは、照明を付けたまま就寝して、夜中のトイレに起きたときに気づいて照明を消したことが推測されうる。また、8月12日の夜〜8月13日の朝にかけては、気づかず朝まで照明を付けたままにしていたと推測されうる。また、仮に、二次元マップ５２において、居室の明るさが夜遅くまで明るい日が長く続いていたとすれば、被管理者１００の生活パターンが昼夜逆転している可能性があると推測されうる。また、仮に、夜中に短いグリッドで明るさが変化している時間帯（例えば、8月1日の3:00頃のグリッド６１）が数多くあれば、被管理者１００が頻繁にトイレに起きていると推測でき、頻尿等を伴う体調の不良を疑いうる。このように、家族等は、二次元マップ５２を通じて被管理者の行動パターンや生活リズム等を把握することができ、被管理者１００に連絡をとって様子を伺うといった対応が可能になる。
【００６１】
図５に示す二次元マップ５３には、被管理者１００の活動が検知された居室の暑さ指数データが、居室の暑さ指数の高低（不快−快適）を識別できるように模様で表示されている。この例でも、家族等は、被管理者１００に連絡をとって様子を伺うといった対応が可能になる。
【００６２】
このように、上記図３〜図５に示す二次元マップ５１〜５３の構成によれば、遠隔地にいる家族等は、二次元マップ５１〜５３を通じて、被管理者１００の行動パターン、生活リズム等を視覚的に表示された情報から把握することができる。したがって、家族等は、二次元マップ５１〜５３を見ることで、安心して被管理者１００の日常的な健康状態や行動を見守ることができる。
【００６３】
また、図６に示す二次元マップ５４には、被管理者１００の活動が検知された居室の場所が、被管理者１００がどこの居室に居たかを識別できるように模様で表示されている。
【００６４】
この構成によれば、被管理者１００が時間帯ごとに活動していた場所（居間、洗面所／トイレ、台所、寝室、浴室、玄関等）から被管理者１００の移動に追従した生活リズムが正確に把握されうる。例えば、被管理者１００の就床時間と起床時間、夜中にトイレのために起きた回数、外出する時間帯と回数、食事時間帯等が把握されうる。したがって、遠隔地にいる家族等は、二次元マップ５４を確認することで、被管理者１００の生活リズムの変化を把握することができ、安心して被管理者１００の日常的な健康状態や行動を見守ることができる。
【００６５】
図７に示す二次元マップ５５には、被管理者１００の活動が検知された居室内における被管理者１００の活動量が、その活動量の大小を識別できるように模様で表示されている。活動量は、例えば３０分単位のグリッドで示される各時間帯において、各居室で検知された被管理者１００の活動量を積算することにより決定されうる。また、例えば、活動量は、各グリッドで示される時間帯において被管理者１００が最も長い時間活動していた居室の活動量としても良い。あるいは、複数の居室で活動が検知された場合、その中で最も活動量が大きかった居室の活動量としても良い。
【００６６】
この構成によれば、二次元マップ５５を見ることで、住居２００内における被管理者１００の移動に追従した活動量の変化を視覚的に容易に把握することができる。したがって、遠隔地にいる家族等は、安心して被管理者１００の日常的な健康状態を見守ることができる。
【００６７】
二次元マップ５１〜５５は、選択的に端末装置５の液晶画面に表示されうる。端末装置５の液晶画面上には、表示させる二次元マップを選択するためのマップ切り替えボタン（選択部の一例）７１が設けられている（図３参照）。「活動−温度」ボタン７１ａ〜「活動量」ボタン７１ｅのいずれかを選択してタッチすることにより、各ボタンに対応づけられている二次元マップ５１〜５５を端末装置５に切り替えて表示することができる。
【００６８】
この構成によれば、観察したい二次元マップ５１〜５５を適宜に選択することができので、被管理者１００の健康状態が正確に把握されうる。例えば、居室の温度を表示する二次元マップ５１と、活動した居室の場所を表示する二次元マップ５４とを切り替えて表示できるので、これらの二次元マップを総合的に観察することで、被管理者１００の日常的な行動（エアコン利用の有無や頻度等）や生活リズムの変化を把握し易くなる。したがって、遠隔地にいる家族等は、二次元マップを見ることで、被管理者１００の認知症の初期症状等を発見しやすくなり、安心して被管理者の日常的な健康状態や行動を見守ることができる。
【００６９】
図８に示すように、端末装置５の液晶画面内には、２つの二次元マップ５６と５７とが例えば上下二段に並設して表示されうる。二次元マップの並設表示は、マップ切り替えボタン７１の中の「データ比較」ボタン７１ｆをタッチすることにより行うことができるように構成されている。表示させる２つの二次元マップ５６，５７は、それぞれボタン７１ａ〜７１ｅの中から選択することができるように構成されている。また、選択表示させた二次元マップ５６，５７は、スライドボタン７２ａ〜７２ｄをタッチすることにより、任意の検知期間のデータに切り替えて表示できるように構成されている。
【００７０】
この構成によれば、並設された二次元マップを比較することにより被管理者１００の健康状態が正確に把握されうる。例えば、同じ情報を提示する現在の二次元マップと過去の二次元マップとを並設表示させたり、上記の二次元マップ５１〜５３，５５と二次元マップ５４とを並設表示させることができる。このため、並設された二次元マップを一画面上で総合的に観察することができ、被管理者１００の日常的な行動や生活リズムの変化を把握し易くなる。したがって、遠隔地にいる家族等は、二次元マップを見ることで、被管理者１００の認知症の初期症状等を発見しやすくなり、安心して被管理者の日常的な健康状態や行動を見守ることができる。
【００７１】
図９に示すように、遠隔健康管理システム１は、活動量計２５を備える構成とされうる。活動量計２５は、少なくとも住居２００からの外出時において被管理者１００により所持されるセンサ装置２Ａに装備されている。活動量計２５は、被管理者１００の身体活動量に対応する活動量データを生成するように構成される。身体活動量の例としては、歩数や中強度運動量が挙げられる。よって、活動量データの例としては、被管理者１００が活動量計２５を所持している間の歩数や中強度運動量を示すデータが挙げられる。中強度運動量とは、例えば３メッツ以上の強度のある身体活動・運動を１日６０分、１週間に２３エクササイズ（メッツ×時間）以上行うことである。なお、３メッツ以上の身体活動として、速歩、ジョギング、テニス、水泳等が該当する。
【００７２】
この場合、ゲートウェイ装置３は、被管理者１００の在宅時における所定のタイミングでセンサ装置２Ａから活動量データを含むセンサデータを取得するように構成されうる。また、ゲートウェイ装置３は、センサ装置２Ａから取得したセンサデータを管理装置４へ送信するように構成される。管理装置４の生成部４１は、センサ装置Ａから取得したセンサデータに基づいて、各二次元マップ５１〜５５における外出時間帯（模様が付されていなかった時間帯６３）の模様を生成しても良い。管理装置４のマップ送信部４２は、生成された二次元マップを、端末装置５へ送信するように構成される。
【００７３】
この構成によれば、被管理者１００の在宅時のみならず、外出時まで含めた二次元マップをオブザーバ１５０に伝達できる。したがって、遠隔地にいるオブザーバ１５０は、被管理者１００の生活リズムや環境状況等をより正確に確認することができ、安心して被管理者１００の日常的な健康状態を見守ることができる。
【００７４】
管理装置４のマップ送信部４２は、活動信号の出力に基づいて被管理者１００の健康状態が正常でないと把握される場合、端末装置５へアラーム信号と二次元マップとを送信するように構成されうる。例えば、住居２００内における総合的な活動量がある程度低下している場合、被管理者１００が体調を崩している事態が推定される。また、例えば、浴室３０３やトイレ３０５など特定の居室に設置したセンサ装置からの活動信号の出力継続時間が通常想定される値を大きく上回っている（所定の閾値を超えている）場合、被管理者１００が浴室３０３やトイレ３０５内で転倒したり発作を起こしたりして動けなくなっている事態が推定される。このような場合にアラーム信号に添付して二次元マップが端末装置５へ送信されることにより、被管理者１００が体調を崩している可能性を正確にオブザーバ１５０に報知できる。
【００７５】
この構成によれば、遠隔地にいるオブザーバ１５０は、添付されている二次元マップを見て被管理者１００の活動の変化などを正確に把握でき、緊急事態や病気の発症を未然に防ぐための対応をとることができる。
【００７６】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００７７】
例えば、マップは、センサデータを取得した期間の各日を第一軸に示し、取得期間における一日の時刻を第二軸に示し、活動量を第三軸に示す三次元のマップとしても良い。また、例えば、マップに示される検知期間は、一カ月に限定されず、例えば一週間、二週間等でも良い。また、グリッドの最小単位は、３０分間に限定されず、例えば５分間、１５分間等でも良い。これらは、オブザーバ１５０の選択により切り替えることができるように構成されうる。また、表示効果については、色や模様に限らず、視覚的に識別可能な表示形態であれば、本発明の表示効果の概念に含まれうる。
【符号の説明】
【００７８】
１：遠隔健康管理システム、２，２ａ〜２ｆ：センサ装置、３：ゲートウェイ装置、４：管理装置、５：端末装置、２１：活動検知センサ、２２：温度センサ、２３：照度センサ、２４：湿度センサ、３１：データ送信部、４１：生成部、４２：マップ送信部、６１：グリッド、７１：マップ切り替えボタン（選択部の一例）、２００：住居、３００〜３０６：居室
【図１】
0006577761.tif 000002
【図２】
0006577761.tif 000003
【図３】
0006577761.tif 000004
【図４】
0006577761.tif 000005
【図５】
0006577761.tif 000006
【図６】
0006577761.tif 000007
【図７】
0006577761.tif 000008
【図８】
0006577761.tif 000009
【図９】
0006577761.tif 000010